(57)【要約】【課題】  従来、送信回路が発光を維持した状態である常時発光状態に陥った光通信装置を特定することが難しかった。【解決手段】  本件開示の光通信システムは、端末装置と、端末装置が各々接続される複数の第１の通信装置と、複数の第１の通信装置との間で光信号を時分割多重して通信を行う第２の通信装置とを有し、第２の通信装置からインターネットに接続する光通信システムにおいて、第１の通信装置は、端末装置を接続するためのゲートウェイ部と、第２の通信装置に光信号を時分割多重して通信を行う光終端部とを有し、ゲートウェイ部は、対応する端末装置からインターネットへの通信が切断された場合に、予め設定された時刻から予め設定された第１の時間、光終端部が第２の通信装置に送信する光信号を停止させることを特徴とする。【選択図】図１
2014154992.tif 000002
【特許請求の範囲】
【請求項１】
端末装置と、前記端末装置が各々接続される複数の第１の通信装置と、前記複数の第１の通信装置との間で光信号を時分割多重して通信を行う第２の通信装置とを有し、前記第２の通信装置からインターネットに接続する光通信システムにおいて、
前記各第１の通信装置は、
前記端末装置を接続するためのゲートウェイ部と、
前記第２の通信装置に光信号を時分割多重して通信を行う光終端部と
を有し、
前記ゲートウェイ部は、対応する前記端末装置から前記インターネットへの通信が切断された場合に、予め設定された時刻から予め設定された第１の時間、前記光終端部が前記第２の通信装置に送信する光信号を停止させる
ことを特徴とする光通信システム。
【請求項２】
請求項１に記載の光通信システムにおいて、
前記予め設定された時刻は、前記複数の第１の通信装置毎に異なり、
前記第１の通信装置は、一台ずつ順番に前記第２の通信装置に送信する光信号を停止する
ことを特徴とする光通信システム。
【請求項３】
請求項１または請求項２に記載の光通信システムにおいて、
前記予め設定された時刻は、前記複数の第１の通信装置に共通の基本時刻に、前記複数の第１の通信装置毎に異なるオフセット時刻を加算した時刻である
ことを特徴とする光通信システム。
【請求項４】
請求項１から請求項３のいずれか一項に記載の光通信システムにおいて、
前記ゲートウェイ部は、対応する前記端末装置から前記インターネットへの通信が切断されている時間を検出し、予め設定された第２の時間以上の通信の切断を検出した場合に、前記光終端部が前記第２の通信装置に送信する光信号を停止させる
ことを特徴とする光通信システム。
【請求項５】
請求項１から請求項４のいずれか一項に記載の光通信システムにおいて、
前記第２の通信装置と前記複数の第１の通信装置とのリンク状態を監視し、前記第２の通信装置と前記複数の第１の通信装置とのリンクの切断が予め設定された条件に合致する場合に、リンクが復旧した時刻である復旧時刻およびリンクが復旧してから再びリンクが切断されるまでの時間である復旧継続時間を計測し、前記複数の第１の通信装置のうち前記第２の通信装置に送信する光信号を停止する時刻および停止している時間が前記復旧時刻および前記復旧継続時間に合致する前記第１の通信装置を障害が生じた装置として特定する
ことを特徴とする光通信システム。
【請求項６】
請求項５に記載の光通信システムにおいて、
前記条件は、前記複数の第１の通信装置のうち予め設定された台数以上の前記第１の通信装置のリンクの切断を検出した場合である
ことを特徴とする光通信システム。
【請求項７】
請求項１から請求項６のいずれか一項に記載の光通信システムにおいて、
前記複数の第１の通信装置のうちいずれかの前記第１の通信装置は、前記第２の通信装置に光信号を送信する前記光終端部の送信回路が、発光を維持した状態にある
ことを特徴とする光通信システム。
【請求項８】
端末装置が接続され、前記端末装置がインターネットにアクセスするデータを光信号に変換し、変換された光信号を時分割多重して第２の通信装置と通信を行う光通信装置において、
前記端末装置を接続するためのゲートウェイ部と、
前記第２の通信装置に光信号を時分割多重して通信を行う光終端部と
を有し、
前記ゲートウェイ部は、対応する前記端末装置から前記インターネットへの通信が切断された場合に、予め設定された時刻から予め設定された第１の時間、前記光終端部が前記第２の通信装置に送信する光信号を停止させる
ことを特徴とする光通信装置。
【請求項９】
請求項８に記載の光通信装置において、
複数の前記光通信装置が前記第２の通信装置に接続されている場合に、前記予め設定された時刻は、前記光通信装置毎に異なり、
前記ゲートウェイ部は、前記第２の通信装置に送信する光信号を前記予め設定された時刻に停止する
ことを特徴とする光通信装置。
【請求項１０】
請求項８または請求項９に記載の光通信装置において、
前記予め設定された時刻は、前記複数の光通信装置に共通の基本時刻に、前記複数の光通信装置毎に異なるオフセット時刻を加算した時刻である
ことを特徴とする光通信装置。
【請求項１１】
請求項８または請求項１０に記載の光通信装置において、
前記ゲートウェイ部は、対応する前記端末装置から前記インターネットへの通信が切断されている時間を検出し、予め設定された第２の時間以上の通信の切断を検出した場合に、前記光終端部が前記第２の通信装置に送信する光信号を停止させる
ことを特徴とする光通信装置。
【請求項１２】
端末装置と、前記端末装置が接続される第１の通信装置と、前記複数の第１の通信装置との間で光信号を時分割多重して通信を行う第２の通信装置とを有する光通信システムの前記第２の通信装置と前記複数の第１の通信装置とのリンク状態を監視し、前記第２の通信装置と前記複数の第１の通信装置とのリンクの切断が予め設定された条件に合致するか否かを判断する監視部と、
前記第２の通信装置と前記複数の第１の通信装置とのリンクの切断が予め設定された条件を満たす場合に、リンクが復旧した時刻である復旧時刻およびリンクが復旧してから再びリンクが切断されるまでの時間である復旧継続時間を計測し、前記複数の第１の通信装置から前記第２の通信装置に送信する光信号を一台ずつ順番に停止する時刻および停止している時間が前記復旧時刻および前記復旧継続時間に合致する前記第１の通信装置を障害が生じた装置として特定する特定部と
を有することを特徴とする監視装置。
【請求項１３】
請求項１２に記載の監視装置において、
前記条件は、前記複数の第１の通信装置のうち予め設定された台数以上の前記第１の通信装置のリンクの切断を検出した場合である
ことを特徴とする監視装置。
【請求項１４】
請求項１２または請求項１３に記載の監視装置において、
前記複数の第１の通信装置のうちいずれかの前記第１の通信装置は、前記第２の通信装置に光信号を送信する前記光終端部の送信回路が、発光を維持した状態にある
ことを特徴とする監視装置。
【請求項１５】
端末装置と、前記端末装置が各々接続される複数の第１の通信装置と、前記複数の第１の通信装置との間で光信号を時分割多重して通信を行う第２の通信装置とを有し、前記第２の通信装置からインターネットに接続する光通信システムにおいて故障中の前記第１の通信装置を特定する故障検出方法であって、
前記第１の通信装置は、対応する前記端末装置から前記インターネットへの通信が切断された場合に、予め設定された時刻から予め設定された第１の時間、前記第２の通信装置に送信する光信号を停止し、
前記第２の通信装置と前記複数の第１の通信装置とのリンク状態を監視し、前記第２の通信装置と前記複数の第１の通信装置とのリンクの切断が予め設定された条件に合致する場合に、リンクが復旧した時刻である復旧時刻およびリンクが復旧してから再びリンクが切断されるまでの時間である復旧継続時間を計測し、前記複数の第１の通信装置のうち前記第２の通信装置に送信する光信号を停止する時刻および停止している時間が前記復旧時刻および復旧継続時間に合致する前記第１の通信装置を障害が生じた装置として特定する
ことを特徴とする故障検出方法。
【請求項１６】
請求項１５に記載の故障検出方法において、
前記予め設定された時刻は、前記複数の第１の通信装置毎に異なり、
前記第１の通信装置は、一台ずつ順番に前記第２の通信装置に送信する光信号を停止する
ことを特徴とする故障検出方法。
【請求項１７】
請求項１５または請求項１６に記載の故障検出方法において、
前記予め設定された時刻は、前記複数の光通信装置に共通の基本時刻に、前記複数の光通信装置毎に異なるオフセット時刻を加算した時刻である
ことを特徴とする故障検出方法。
【請求項１８】
請求項１５から請求項１７のいずれか一項に記載の故障検出方法において、
前記第１の通信装置は、対応する前記端末装置から前記インターネットへの通信が切断されている時間を検出し、予め設定された第２の時間以上の通信の切断を検出した場合に、前記第１の通信装置から前記第２の通信装置に送信する光信号を停止させる
ことを特徴とする故障検出方法。
【請求項１９】
請求項１５から請求項１８のいずれか一項に記載の故障検出方法において、
前記複数の第１の通信装置のうち予め設定された台数以上の前記第１の通信装置のリンクの切断を検出した場合に、故障中の前記第１の通信装置を特定する処理を行う
ことを特徴とする故障検出方法。
【請求項２０】
請求項１５から請求項１９のいずれか一項に記載の故障検出方法において、
前記複数の第１の通信装置のうちいずれかの前記第１の通信装置は、前記第２の通信装置に光信号を送信する前記光終端部の送信回路が、発光を維持した状態にある
ことを特徴とする故障検出方法。
【発明の詳細な説明】
【技術分野】
【０００１】
本発明は、光通信システム、光通信装置および監視装置、並びに故障検出方法に関する。
【背景技術】
【０００２】
近年、光通信システムの一つとしてＰＯＮ（Passive Optical Network）システムが普及している。ＰＯＮシステムは、親局装置のＯＬＴ（Optical Line Terminator）と、子局装置のＯＮＵ（Optical Network Unit）とを有する。そして、複数のＯＮＵは、一本の光ファイバを共有してＯＬＴと通信する。ＯＬＴに接続される一本の光ファイバは、光カプラで分岐されて各ＯＮＵに接続される。複数のＯＮＵは、ＯＬＴへの上り方向のデータを同一波長の光信号で時分割多重して送信する。このため、ＯＬＴは、複数のＯＮＵから送信される光信号が衝突しないように、各ＯＮＵが光信号を送信するタイミングと送信している時間とを制御している。
【０００３】
一方、ＯＬＴに光信号を送信するためのＯＮＵのレーザーダイオードは、故障により、常に発光した状態（以降、常時発光状態と称する）になる場合がある。ところが、上り方向の光信号は、時分割で多重され、同一波長で送信される。このため、常時発光状態になったＯＮＵが送信する光信号は、他のＯＮＵから送信される光信号と衝突し、ＯＬＴとＯＮＵは、通信が困難な状態になる。ＯＬＴは、ＯＮＵと通信が困難なため、常時発光状態になったＯＮＵを特定することは難しい。そこで、ＯＬＴは、通信が可能な受信側の経路により、ＯＮＵの光出力をオフする指令を送信して、常時発光状態に陥ったＯＮＵを特定する技術が検討されている（例えば、特許文献１参照）。
【先行技術文献】
【特許文献】
【０００４】
【特許文献１】特開２００４−１１２７４６号公報
【発明の概要】
【発明が解決しようとする課題】
【０００５】
ところが、ＯＮＵの受信側の経路に問題がある場合、もしくはＯＮＵ自身の制御部が制御受付不能な状態に陥っている場合、ＯＮＵは、ＯＬＴから光出力をオフする指令を受信することが難しい。このような場合、システム管理者は、ＯＮＵのユーザから故障の連絡があるのを待ったり、各ＯＮＵが設置されている場所に保守者を派遣してＯＮＵ毎に動作を確認する作業を行っている。しかしながら、常時発光状態のＯＮＵが出現してから、そのＯＮＵを特定して修理や交換を行うまでの間、システム管理者は、ＰＯＮシステムの通信サービスを停止する。このため、ユーザやシステム運用会社は、多大な損害を受けてしまうという問題があった。
【０００６】
本件開示の光通信システム、光通信装置および監視装置、並びに故障検出方法は、常時発光状態に陥ったＯＮＵを自動的に特定できる技術を提供することを目的とする。
【課題を解決するための手段】
【０００７】
一つの観点によれば、光通信システムは、端末装置と、端末装置が各々接続される複数の第１の通信装置と、複数の第１の通信装置との間で光信号を時分割多重して通信を行う第２の通信装置とを有し、第２の通信装置からインターネットに接続する光通信システムにおいて、第１の通信装置は、端末装置を接続するためのゲートウェイ部と、第２の通信装置に光信号を時分割多重して通信を行う光終端部とを有し、ゲートウェイ部は、対応する端末装置からインターネットへの通信が切断された場合に、予め設定された時刻から予め設定された第１の時間、光終端部が第２の通信装置に送信する光信号を停止させることを特徴とする。
【０００８】
一つの観点によれば、光通信装置は、端末装置が接続され、端末装置がインターネットにアクセスするデータを光信号に変換し、変換された光信号を時分割多重して第２の通信装置と通信を行う光通信装置において、端末装置を接続するためのゲートウェイ部と、第２の通信装置に光信号を時分割多重して通信を行う光終端部とを有し、ゲートウェイ部は、対応する端末装置からインターネットへの通信が切断された場合に、予め設定された時刻から予め設定された第１の時間、光終端部が第２の通信装置に送信する光信号を停止させることを特徴とする。
【０００９】
一つの観点によれば、監視装置は、端末装置と、端末装置が接続される第１の通信装置と、複数の第１の通信装置との間で光信号を時分割多重して通信を行う第２の通信装置とを有する光通信システムの第２の通信装置と複数の第１の通信装置とのリンク状態を監視し、第２の通信装置と複数の第１の通信装置とのリンクの切断が予め設定された条件に合致するか否かを判断する監視部と、第２の通信装置と複数の第１の通信装置とのリンクの切断が予め設定された条件を満たす場合に、リンクが復旧した時刻である復旧時刻およびリンクが復旧してから再びリンクが切断されるまでの時間である復旧継続時間を計測し、複数の第１の通信装置から第２の通信装置に送信する光信号を一台ずつ順番に停止する時刻および停止している時間が復旧時刻および復旧継続時間に合致する第１の通信装置を障害が生じた装置として特定する特定部とを有することを特徴とする。
【００１０】
一つの観点によれば、故障検出方法は、端末装置と、端末装置が各々接続される複数の第１の通信装置と、複数の第１の通信装置との間で光信号を時分割多重して通信を行う第２の通信装置とを有し、第２の通信装置からインターネットに接続する光通信システムにおいて故障中の第１の通信装置を特定する故障検出方法であって、第１の通信装置は、対応する端末装置からインターネットへの通信が切断された場合に、予め設定された時刻から予め設定された第１の時間、第２の通信装置に送信する光信号を停止し、第２の通信装置と複数の第１の通信装置とのリンク状態を監視し、第２の通信装置と複数の第１の通信装置とのリンクの切断が予め設定された条件に合致する場合に、リンクが復旧した時刻である復旧時刻およびリンクが復旧してから再びリンクが切断されるまでの時間である復旧継続時間を計測し、複数の第１の通信装置のうち第２の通信装置に送信する光信号を停止する時刻および停止している時間が復旧時刻および復旧継続時間に合致する第１の通信装置を障害が生じた装置として特定することを特徴とする。
【発明の効果】
【００１１】
本件開示の光通信システム、光通信装置および監視装置、並びに故障検出方法は、常時発光状態に陥ったＯＮＵを自動的に特定することができる。
【図面の簡単な説明】
【００１２】
【図１】ＰＯＮシステムの一例を示す図である。
【図２】図１に示したＰＯＮシステムにおけるデータ通信の一例を示す図である。
【図３】図１に示したＯＮＵが常時発光状態に陥った時のデータ通信の一例を示す図である。
【図４】図１に示したＯＮＵの一例を示す図である。
【図５】図１に示したＰＯＮシステムに関係するサーバの一例を示す図である。
【図６】テーブルの一例を示す図である。
【図７】常時発光状態に陥ったＯＮＵを特定する様子を示す図である。
【図８】常時発光状態に陥ったＯＮＵを特定する処理例を示すフローチャートである。
【発明を実施するための形態】
【００１３】
以下、図面を用いて実施形態を説明する。
【００１４】
図１は、ＰＯＮシステム１００の一例を示す。尚、ＰＯＮシステム１００は、光通信システムの一例であり、時分割多重して通信を行う光通信システムであれば同様に適用できる。
【００１５】
図１において、ＰＯＮシステム１００は、ＯＬＴ１０１と、光カプラ１０２と、ＯＮＵ１０３ａ、ＯＮＵ１０３ｂ、ＯＮＵ１０３ｃおよびＯＮＵ１０３ｄとを有する。ここで、以降の説明において、ＯＮＵ１０３ａ、ＯＮＵ１０３ｂ、ＯＮＵ１０３ｃおよびＯＮＵ１０３ｄは、共通の事項を説明する場合、符号末尾のアルファベットを省略してＯＮＵ１０３と表記する。また、特定の子局装置を示す場合は符号末尾にアルファベットを付加して例えばＯＮＵ１０３ａのように表記する。尚、ユーザ宅１５１についても同様に表記する。
【００１６】
図１において、ＯＮＵ１０３ａは、ユーザ宅１５１ａに配置され、ＯＮＵ部２０１と、ＨＧＷ（Home GateWay）部２０２とを有する。
【００１７】
ＯＮＵ部２０１は、ＰＯＮ規格に基いて、ＯＬＴ１０１と通信を行う光終端装置である。ＯＮＵ部２０１は、ＨＧＷ部２０２に接続されるユーザ端末が送受信するデータをＯＬＴ１０１との間で送受信する。例えば、ＯＮＵ部２０１は、ＯＬＴ１０１から受信する光信号をデータに変換してＨＧＷ２０２に出力し、ＨＧＷ部２０２から入力するデータを光信号に変換してＯＬＴ１０１に送信する。
【００１８】
例えば、ＨＧＷ部２０２は、ブロードバンドルータとして、有線ＬＡＮ、無線ＬＡＮ、電話回線用のメタル線のインターフェースを有するホームゲートウェイである。
【００１９】
ここで、ＦＴＴＨ（Fiber To The Home）の通信サービスでは、図１の吹き出し９００に示したように、ＨＧＷ９０２がＯＮＵ９０１とは別に設置されている場合がある。これに対して、本実施形態に係るＰＯＮシステム１００は、ＯＮＵ９０１と、ＨＧＷ９０２とが独立した別の装置ではなく、ＯＮＵ１０３の内部にホームゲートウェイの機能が一体化されている。
【００２０】
そして、図１の例では、ＯＮＵ１０３は、ユーザ端末として、有線ＬＡＮにパソコン１０４、無線ＬＡＮ（例えばＷｉＦｉ規格に基く無線ＬＡＮ）にスマートフォン１０５、メタル線に電話機１０６がそれぞれ接続されている。
【００２１】
ＨＧＷ部２０２は、制御信号線２１６により、ＯＮＵ部２０１からＯＬＴ１０１に光信号を送信する光送信回路２１５の光出力を停止することができる。そして、ＨＧＷ部２０２は、ユーザ端末がインターネット１１０にアクセスすることが困難になった場合に、予め設定されたタイミングでＯＮＵ部２０１のレーザーダイオードの光出力を停止する。尚、レーザーダイオードの光出力を停止するタイミングは、後で詳しく説明する。
【００２２】
図２は、図１に示したＰＯＮシステム１００におけるデータ通信の一例を示す。図２において、ＯＬＴ１０１から送信される下り方向の光信号は、ＯＮＵ１０３ａへのデータａ、ＯＮＵ１０３ｂへのデータｂ、ＯＮＵ１０３ｃへのデータｃ、ＯＮＵ１０３ｄへのデータｄ、がそれぞれ時分割多重されている。下り方向の光信号は、受動素子（光カプラ１０２）で複数の光信号に分岐され、分岐先の各ＯＮＵ１０３にデータａ、データｂ、データｃおよびデータｄがそれぞれ送信される。そして、各ＯＮＵ１０３は、自装置宛のデータを取り出して他装置宛のデータを破棄する。例えば、ＯＮＵ１０３ａは、下り方向の光信号からデータａを取り出して、ユーザ端末側（図１に示したパソコン１０４など）に出力し、データｂ、データｃおよびデータｄは破棄する。
【００２３】
一方、ＯＮＵ１０３は、ユーザ端末から送信されるデータを光信号に変調し、変調された上り方向の光信号をＯＬＴ１０１に送信する。
【００２４】
ここで、図２に示したＯＮＵ１０３ａ、ＯＮＵ１０３ｂ、ＯＮＵ１０３ｃおよびＯＮＵ１０３ｄは、ＯＬＴ１０１から指定される送信タイミングおよび送信時間（送信開始から送信終了までの時間）に基づいて、上り方向の光信号をＯＬＴ１０１に送信する。例えばＯＮＵ１０３ａは送信タイミングＴａでデータＡを送信し、ＯＮＵ１０３ｂは送信タイミングＴｂでデータＢを送信する。同様に、ＯＮＵ１０３ｃは送信タイミングＴｃでデータＣ、ＯＮＵ１０３ｄは送信タイミングＴｄでデータＤを送信する。ここで、ＯＬＴ１０１は、データＡ、Ｂ、ＣおよびＤが互いに重複しないように、各ＯＮＵ１０３の送信タイミングＴａ、Ｔｂ、ＴｃおよびＴｄと、送信時間とを制御する。つまり、各ＯＮＵ１０３の送信タイミングＴａ、Ｔｂ、ＴｃおよびＴｄは、互いに異なるタイミングで、各タイミングでの送信時間は重複しない。
【００２５】
このように、ＰＯＮシステム１００は、ＯＬＴ１０１と複数のＯＮＵ１０３との間でデータを送受信することができる。
【００２６】
ところが、ＯＮＵ１０３は、ＯＬＴ１０１に光信号を出力するレーザーダイオードや制御回路の故障などにより、レーザーダイオードが常時発光状態になる場合がある。上り方向の光信号は、同一波長で時分割多重により複数のＯＮＵ１０３から送信されるので、一台のＯＮＵ１０３が常時発光状態になった場合、他のＯＮＵ１０３から送信される光信号と衝突するという問題が生じる。
【００２７】
図３は、図１に示したＯＮＵ１０３が常時発光状態になった時のデータ通信の一例を示す。尚、図３において、図２と同符号のものは、図２と同じものを示す。また、図３において、×印のＯＮＵ１０３ａは、常時発光状態になったＯＮＵ１０３であることを示している。
【００２８】
図３の例において、ＯＮＵ１０３ａは、送信タイミングＴａでデータＡを送信後に故障して常時発光状態になり、ＯＮＵ１０３ｂが送信タイミングＴｂで送信するデータＢと衝突する。このため、ＯＮＵ１０３ｂは正常なデータＢをＯＬＴ１０１に送信することが困難である。同様に、ＯＮＵ１０３ｃの送信タイミングＴｃおよびＯＮＵ１０３ｄの送信タイミングＴｄになってもＯＮＵ１０３ａは常時発光状態のままなので、ＯＮＵ１０３ｃおよびＯＮＵ１０３ｄも正常なデータをＯＬＴ１０１に送信することが難しい。
【００２９】
ここで、ＯＬＴ１０１に収容されるいずれかのＯＮＵ１０３が常時発光状態に陥ると、ＯＬＴ１０１に収容される全部または大部分のＯＮＵ１０３が同時に通信不良になる。尚、常時発光状態に陥った場合、ＯＬＴ１０１と複数のＯＮＵ１０３との間のリンクは、多数のＯＮＵ１０３のリンクが確立しない状態またはリンクの確立と切断を繰り返す不安定な状態になる。この場合でも、大部分のＯＮＵ１０３が通信不良になるので、ＯＬＴ１０１は、いずれかのＯＮＵ１０３が常時発光状態に陥った可能性があることを認識できる。
【００３０】
尚、全部のＯＮＵ１０３が通信不良にならない例として、常時発光状態に陥ったＯＮＵ１０３が通信できる場合がある。例えば、常時発光状態に陥ったＯＮＵ１０３ａは、自己の通信時以外も発光状態になっているが、変調機能が失われていない場合、自己の送信データの変調ができるので、ＯＬＴ１０１との間のリンクは切断されない。或いは、常時発光状態に陥ったＯＮＵ１０３ａの影響が少ない場合、ＯＮＵ１０３によって多少の誤りは生じても、誤り訂正を行うことにより、通信できることもある。このように、いずれかのＯＮＵ１０３が常時発光状態に陥った場合でも、ＯＬＴ１０１に収容される全部のＯＮＵ１０３が通信不良にならないこともあるが、大部分のＯＮＵ１０３は、通信不良になる。
【００３１】
システム管理者は、ＯＬＴ１０１の通信アラームなどにより、ＯＬＴ１０１とＯＮＵ１０３との間に通信異常が発生していることを把握できるが、故障しているＯＮＵ１０３を特定することは難しい。
【００３２】
そこで、本実施形態に係るＰＯＮシステム１００は、常時発光状態に陥ったＯＮＵ１０３を自動的に特定できるようになっている。
【００３３】
図４は、図１に示したＯＮＵ１０３の一例を示す。尚、図４において、図１と同符号のブロックは、図１と同一または同様の機能を有する。図４において、ＯＮＵ１０３は、ＯＮＵ部２０１と、ＨＧＷ部２０２とを有し、ＯＮＵ部２０１とＨＧＷ部２０２は、送信するデータ以外に制御信号線２１６で接続されている。
【００３４】
ＯＮＵ部２０１は、光モジュール２１１と、ＰＯＮ制御部２１２と、ＰＨＹＩＦ（Physical InterFace）２１３とを有する。
【００３５】
光モジュール２１１は、光信号を送受信するための回路として、光受信回路２１４と、光送信回路２１５とを有する。
【００３６】
光受信回路２１４は、ＯＬＴ１０１から受信する光信号を電気信号に変換してデータを復調し、復調したデータをＰＯＮ制御部２１２およびＰＨＹＩＦ２１３を介してＨＧＷ部２０２に出力する。
【００３７】
光送信回路２１５は、ＰＯＮ制御部２１２およびＰＨＹＩＦ２１３を介してＨＧＷ部２０２から入力するデータを光信号に変調し、変調した光信号をレーザーダイオード２１５ａによりＯＬＴ１０１に送信する。尚、光送信回路２１５は、制御信号線２１６の制御信号により、レーザーダイオード２１５ａの光出力を停止する。ここで、レーザーダイオード２１５ａの光出力のみを停止することが難しい場合、ＨＧＷ部２０２は、レーザーダイオードに供給する電源をオフするようにしてもよいし、光モジュール２１１への電源供給をオフにしてもよい。尚、光モジュール２１１への電源供給をオフにした場合は、光送信回路２１４の動作を停止する。
【００３８】
ＰＯＮ制御部２１２は、ＰＯＮ規格に基いてＯＬＴ１０１との間の通信を制御する。例えば、ＰＯＮ制御部２１２は、ＯＬＴ１０１に指示された送信タイミングおよび送信時間に合わせて、光モジュール２１１からＯＬＴ１０１に光信号を送信する。
【００３９】
ＰＨＹＩＦ２１３は、ＨＧＷ部２０２に接続するための物理インターフェースである。物理インターフェースは、図１に示した独立した筐体のＯＮＵ９０１およびＨＧＷ９０２のように、ＬＡＮ（Local Area Network）を用いてもよい。或いは、ＯＮＵ１０３は、光終端装置の機能を有するＯＮＵ部２０１と、ホームゲートウェイの機能を有するＨＧＷ部２０２とが、１つの筐体に一体化されているので、ＯＮＵ部２０１とＨＧＷ部２０２を専用の信号線（データ信号線、制御信号線など）で接続してもよい。また、ＰＨＹＩＦ２１３およびＰＨＹＩＦ２２１を用いずに、ＰＯＮ制御部２１２とルータ部２２２とを直接に接続してもよい。
【００４０】
ＨＧＷ部２０２は、ＰＨＹＩＦ２２１と、ルータ部２２２と、有線ＬＡＮ部２２３と、無線ＬＡＮ部２２４と、ＶｏＩＰ（Voice over Internet Protocol）部２２５と、ＨＧＷ制御部２２６とを有する。また、ＨＧＷ制御部２２６は、時計部２２７と、メモリ２２８とが接続される。
【００４１】
ＰＨＹＩＦ２２１は、ＯＮＵ部２０１に接続するための物理インターフェースである。尚、物理インターフェースの仕様は、ＯＮＵ部２０１のＰＨＹＩＦ２１３と同じである。
【００４２】
ルータ部２２２は、ユーザ端末にＩＰ（Internet Protocol）アドレスを割り当てたり、ユーザ端末から送信されるデータをＯＮＵ部２０１に出力する。また、ルータ部２２２は、ＯＮＵ部２０１がＯＬＴ１０１から受信するデータの宛先（ＩＰアドレスなど）に応じて、ユーザ端末にデータを転送する。
【００４３】
有線ＬＡＮ部２２３は、ＬＡＮケーブルにより、ネットワーク機器を接続するためのインターフェースである。図４の例では、パソコン１０５が有線ＬＡＮ部２２３に接続されている。
【００４４】
無線ＬＡＮ部２２４は、無線ＬＡＮにより、ネットワーク機器を接続するためのインターフェースである。無線ＬＡＮは、例えばＷｉＦｉ（登録商標）規格などに基づく。図４の例では、スマートフォン１０６が無線ＬＡＮ部２２４に接続されている。
【００４５】
ＶｏＩＰ部２２５は、電話回線用のメタル線によって電話機を接続し、インターネットを介して電話サービスを利用するためのインターフェースである。図４の例では、電話機１０７がＶｏＩＰ部２２５に接続されている。
【００４６】
ＨＧＷ制御部２２６は、通信監視部２５１と、光出力制御部２５２とを有する。
【００４７】
通信監視部２５１は、ルータ部２２２、有線ＬＡＮ部２２３、無線ＬＡＮ部２２４およびＶｏＩＰ部２２５の動作を制御する。そして、通信監視部２５１は、ＯＮＵ部２０１との通信状態や、パソコン１０５などのユーザ端末がインターネット１１０にアクセスする時の通信状態を監視する。また、通信監視部２５１は、ＨＧＷ部２０２とＯＮＵ部２０１との間の通信が正常であるにも拘らず、ＯＬＴ１０１の上位側のインターネット１１０とユーザ端末との通信が不良である場合に、ＯＮＵ部２０１の故障（常時発光状態など）を疑う。そして、通信監視部２５１は、予め決められた時間、ユーザ端末とインターネット１１０との間の通信が不良である場合、光送信回路２１５が常時発光状態に陥ったと判断し、光出力制御部２５２に通知する。光出力制御部２５２は、予め決められた時刻から予め決められた時間、制御信号線２１６により、ＯＮＵ部２０１の光モジュール２１１の光送信回路２１５の光出力を停止する。
【００４８】
尚、ＨＧＷ制御部２２６は、ルータ部２２２がインターネット１１０と正常に通信できる場合、ルータ部２２２を介してインターネット１１０上のサーバから定期的に時刻情報を取得して、時計部２０７の時刻合わせを行っている。
【００４９】
また、通信不良の検出時に、レーザーダイオード２１５ａの光出力を停止する時刻（停止時刻）および停止している時間（停止時間）は、メモリ２２８に予め記憶されている。さらに、レーザーダイオード２１５ａの光出力を停止する時刻は、ＯＮＵ１０３毎に異なり、システム管理者により予め設定されている。
【００５０】
このようにして、本実施形態に係るＰＯＮシステム１００は、通信異常の検出時にＯＮＵ１０３からＯＬＴ１０１に送信される上り方向の光信号を予め設定された時刻から予め設定された時間だけ停止する。ここで、ＯＮＵ１０３は、光出力の停止時刻が各ＯＮＵ１０３毎に異なるように予め設定されているので、ＯＬＴ１０１の配下でＯＮＵ１０３が１台ずつ順次、光出力を停止する。停止時刻のずらし方は、例えば、複数のＯＮＵ１０３に共通の基本時刻を決めておき、基本時刻に対する相対的な時刻（オフセット時刻）をＯＮＵ１０３毎に少しずつずらしておけばよい。尚、時刻をずらす幅（オフセット時刻の間隔）は、ＯＬＴ１０１とのリンクが切断されたＯＮＵ１０３が再びリンクを確立するまでに要する時間以上であればよい。
【００５１】
図５は、図１に示したＰＯＮシステム１００に関係するサーバの一例を示す。尚、図５において、図１と同符号のブロックは、図１と同一または同様の機能を有する。
【００５２】
図５において、ＯＬＴ１０１は、インターネット１１０を介して、ＨＧＷ設定サーバ３０１、ＳＮＴＰ（Simple Network Time Protocol）サーバ３０２および監視サーバ３０３などに接続される。或いは、ＯＬＴ１０１は、Ｗｅｂサーバなどインターネット１１０上の他のサーバに接続される。
【００５３】
ＨＧＷ設定サーバ３０１は、ＯＮＵ１０３が起動された時に、ＯＮＵ１０３のＨＧＷ部２０２からアクセスされ、ＨＧＷ部２０２の初期設定などを行う。初期設定の内容は、例えば、ルータ部２０２のグローバルＩＰアドレスや、常時発光状態の通信障害が発生した時にＯＮＵ部２０１の光出力の停止時刻および停止時間などである。
【００５４】
ＳＮＴＰサーバ３０２は、ネットワーク上のコンピュータの時刻を同期させるためのＳＮＴＰプロトコルを有するサーバである。図５の例では、ＨＧＷ部２０２の時計部２２７の時刻は、ＳＮＴＰサーバ３０２により定期的に設定され、複数のＯＮＵ１０３の時計部２２７は、同じ時刻に調整される。尚、時刻設定は、ＳＮＴＰサーバ３０２ではなく、ＨＧＷ設定サーバ３０１や監視サーバ３０３が行ってもよい。
【００５５】
監視サーバ３０３は、ＯＬＴ１０１とＯＮＵ１０３とを有するＰＯＮシステム１００の動作を監視する。図５において、監視サーバ３０３は、監視部３５１と、ＯＮＵ特定部３５２と、テーブル３５３と、時計部３５４とを有する。
【００５６】
監視部３５１は、ＯＬＴ１０１およびＯＮＵ１０３が正常に動作しているか否かを監視する。例えば、監視部３５１は、ＯＬＴ１０１と複数のＯＮＵ１０３との間のリンクの確立および切断などのリンク状態を監視する。ここで、監視部３５１は、複数のＯＮＵ１０３のうち予め決められた台数（またはＯＮＵ１０３の総数に対する割合）以上のＯＮＵ１０３のリンクが切断された場合、常時発光状態による通信異常が発生したと判断する。そして、監視部３５１は、ＯＮＵ特定部３５２により常時発光状態に陥ったＯＮＵ１０３を特定する処理を開始する。
【００５７】
ここで、ＯＮＵ１０３がＯＬＴ１０１に光信号を送信するＯＮＵ部２０１の光出力の停止時刻および停止時間がＯＮＵ１０３別にテーブル３５３に予め設定されている。
【００５８】
ＯＮＵ特定部３５２は、リンクが切断されたＯＮＵ１０３のリンクが復旧する時刻（復旧時刻）を時計部３５４により確認する。さらに、ＯＮＵ特定部３５２は、リンクが復旧して再びリンクが切断されるまでの時間（復旧継続時間）を時計部３５４により計測する。ＯＮＵ特定部３５２は、リンクが切断されたＯＮＵ１０３のリンクの復旧時刻および復旧継続時間と、テーブル３５３に記憶されたＯＮＵ１０３の光出力の停止時刻および停止時間とをそれぞれ比較する。そして、ＯＮＵ特定部３５２は、テーブル３５３に記憶されたＯＮＵ１０３の光出力の停止時刻および停止時間と、復旧時刻および復旧継続時間とが合致するＯＮＵ１０３が常時発光状態に陥ったＯＮＵ１０３であると判断する。
【００５９】
このようにして、監視サーバ３０３は、常時発光状態に陥ったＯＮＵ１０３を特定できる。
【００６０】
ここで、ＯＮＵ部２０１の光出力を停止する時刻は、基本時刻に対するオフセット時刻で設定される。例えば、基本時刻の間隔を３０分間隔とした場合、基本時刻は、００：００、００：３０、・・・、１６：００、１６：３０、１７：００・・・のように３０分刻みになる。また、オフセット時刻は、基本時刻の間の時刻を示し、例えば、基本時刻の間隔が３０分間隔の場合、オフセット時刻は、０分以上３０分未満の時刻に設定される。オフセット時刻は、ＯＮＵ１０３毎に異なり、（基本時刻＋オフセット時刻）がＯＮＵ１０３のＯＮＵ部２０１の出力をオフする時刻である。尚、ＯＮＵ部２０１の光出力を停止している時間（停止時間）は、同じ時間（例えば６０秒など）に統一しておくのが好ましい。また、ＯＮＵ部２０１の光出力の停止時間は、常時発光状態のＯＮＵ１０３の光出力が停止してから他のＯＮＵ１０３のリンクが復旧するまでの時間以上に設定される。
【００６１】
図６は、テーブル３５３の一例を示す図である。図６のテーブル３５３において、ＯＮＵ１０３ａのオフセット時刻は０分００秒、ＯＮＵ１０３ｂのオフセット時刻を１分００秒、ＯＮＵ１０３ｃのオフセット時刻を２分００秒、ＯＮＵ１０３ｄのオフセット時刻を３分００秒である。停止時間は、全てのＯＮＵ１０３で同じ６０秒に設定されている。ここで、基本時刻とオフセット時刻および停止時間を区別するために、オフセット時刻および停止時間は、１分００秒のように分と秒で表記している。尚、停止時間は、ＯＮＵ１０３の能力に応じて変えてもよい。また、テーブル３５３は、図５に示した監視サーバ３０３に記憶されているが、ＨＧＷ設定サーバ３０１やＯＬＴ１０１に記憶しておいてもよい。そして、各ＯＮＵ１０３のオフセット時刻は、初期設定時などに、監視サーバ３０３からＯＮＵ１０３のＨＧＷ部２０２のメモリ２０８に設定される。
【００６２】
図６において、基本時刻が１６：００で停止時間が６０秒の場合、ＯＮＵ１０３ａの光出力は、基本時刻の１６：００から６０秒間だけ停止する。同様に、ＯＮＵ１０３ｂの光出力は、基本時刻の１６：０１から６０秒間だけ停止し、ＯＮＵ１０３ｃの光出力は、基本時刻の１６：０２から６０秒間だけ停止する。また、ＯＮＵ１０３ｄの光出力は、基本時刻の１６：０３から６０秒間だけ停止する。
【００６３】
このようにして、ＯＮＵ１０３ａからＯＮＵ１０３ｄまでの４つのＯＮＵ１０３は、ＯＬＴ１０１に送信する光出力を順番に停止する。
【００６４】
図７は、常時発光状態になったＯＮＵ１０３を特定する様子を示す。図７において、ＯＮＵ１０３とＯＬＴ１０１が正常に通信できる状態（リンクが確立した状態）を疎通可、ＯＮＵ１０３とＯＬＴ１０１の正常な通信が難しい状態（リンクが切断された状態）を疎通不可と表記する。尚、図７において、太い実線はリンクが確立した期間を示し、太い実線以外の点線などの部分は、リンクが切断された期間を示している。
【００６５】
図７の例では、時刻１６：２０までは、ＯＮＵ１０３ａ、ＯＮＵ１０３ｂ、ＯＮＵ１０３ｃおよびＯＮＵ１０３ｄは、疎通可である。そして、ＯＮＵ１０３ｃは、時刻１６：２０に故障して常時発光状態になる。これにより、ＯＮＵ１０３ｃに接続されるユーザ端末は、インターネット１１０の接続先へのデータの送信が難しくなる。そして、ＯＮＵ１０３ｃのＨＧＷ部２０２は、ルータ部２２２、有線ＬＡＮ部２２３、無線ＬＡＮ部２２４およびＶｏＩＰ部２２５、或いは、ユーザ端末から直接、通信不良の通知を受ける。同様に、ＯＮＵ１０３ａ、ＯＮＵ１０３ｂおよびＯＮＵ１０３ｄのＨＧＷ部２０２は、通信不良を検出する。
【００６６】
通信不良を検出した各ＯＮＵ１０３のＨＧＷ部２０２は、予め設定された時刻（基本時刻＋オフセット時刻）に、ＯＮＵ部２０１の光出力を停止する。尚、ＨＧＷ部２０２は、通信不良が予め決められた時間以上続いた場合に、ＯＮＵ部２０１の光出力を停止する処理を行うようにしてもよい。
【００６７】
例えば、ＨＧＷ部２０２は、基本時刻が１６：００、１６：３０のように、３０分刻みに設定されている場合、ＨＧＷ部２０２は、通信不良を検出後の直近の基本時刻から処理を開始する。図７の例では、ＨＧＷ部２０２は、１６：３０から１６：３１までＯＮＵ部２０２の光出力を停止する。同様に、ＯＮＵ１０３ｂは１６：３１から１６：３２まで、ＯＮＵ１０３ｃは１６：３２から１６：３３まで、ＯＮＵ１０３ｄは１６：３３から１６：３４まで、それぞれのレーザーダイオードの光出力を順番に停止する。
【００６８】
ここで、図７の例では、常時発光状態に陥ったＯＮＵ１０３ｃが光出力を停止している１６：３２から１６：３３までの間、ＯＮＵ１０３ａ、ＯＮＵ１０３ｂおよびＯＮＵ１０３ｄのリンクが復旧している。そして、１６：３３にＯＮＵ１０３ｃの光出力の停止時間が終了すると、４つのＯＮＵ１０３は、再び、疎通不可の状態になっている。尚、ＯＮＵ１０３の疎通が復旧した場合、ＯＬＴ１０１から監視サーバ３０３に疎通の復旧を通知するメッセージが送信される。図７の例では、ＯＮＵ１０３ａ、ＯＮＵ１０３ｂおよびＯＮＵ１０３ｄの疎通が復旧した１６：３２から１６：３３までの期間に、ＯＬＴ１０１は、監視サーバ３０３に各ＯＮＵ１０３の疎通復旧のメッセージを送信する。
【００６９】
このようにして、監視サーバ３０３は、ＯＮＵ１０３毎に、疎通の復旧時刻や復旧継続時間を知ることができる。例えば、監視サーバ３０３は、１６：３２から１６：３３までの間、ＯＬＴ１０１からＯＮＵ１０３ａ、ＯＮＵ１０３ｂおよびＯＮＵ１０３ｄの疎通復旧のメッセージを受け取る。これを受けた監視サーバ３０３は、図６に示したテーブル３５３を参照して、リンクが復旧した１６：３２から１６：３３までの間に、光出力を停止することになっているＯＮＵ１０３リンク状態を調べる。図７の例では、リンクが復旧した１６：３２のオフセット時刻は、基本時刻が１６：３０の場合、２分００秒である。そこで、監視サーバ３０３は、図６に示したテーブル３５３を参照して、オフセット時刻が２分００秒のＯＮＵ１０３ｃが常時発光状態に陥ったと判断する。
【００７０】
このように、複数のＯＮＵ１０３は、予め設定された互いに異なる時刻に光出力を停止するので、監視サーバ３０３は、テーブル３５３を参照して、常時発光状態に陥ったＯＮＵ１０３を特定できる。尚、ＯＮＵ１０３のＨＧＷ制御部２２６は、ルータ部２２２とＯＮＵ部２２１との間のリンクが正常な状態で、インターネット１１０側との一定期間の通信不良を検出した場合に、ＯＮＵ部２０１が常時発光状態の故障に陥った可能性があることを認識する。そして、ＨＧＷ制御部２２６は、上記に説明したように、予め設定された時刻から予め設定された時間、ＯＮＵ部２０１の光出力を停止する動作を行う。
【００７１】
そして、監視サーバ３０３の監視部３５１は、予め設定された台数以上のＯＮＵ１０３のリンクが切断されたことをＯＬＴ１０１から通知された場合に、ＯＬＴ１０１に収容されるいずれかのＯＮＵ１０３が常時発光状態の故障に陥った可能性があると認識する。或いは、監視部３５１は、ＯＬＴ１０１と正常にＰＯＮ区間のリンクを確立しているＯＮＵ１０３の台数と、ＯＮＵ１０３の総数との割合でＯＬＴ１０１に収容されるいずれかのＯＮＵ１０３が常時発光状態の故障に陥った可能性があると認識してもよい。例えば、監視部３５１は、ＯＬＴ１０１と正常にＰＯＮ区間のリンクを確立しているＯＮＵ１０３の台数と、ＯＮＵ１０３の総数との割合が予め設定された閾値以下になった場合にいずれかのＯＮＵ１０３が常時発光状態の故障に陥った可能性があると認識する。または、監視部３５１は、ＯＬＴ１０１とのリンクが切断されたＯＮＵ１０３の台数と、ＯＮＵ１０３の総数との割合が予め設定された閾値以上になった場合にいずれかのＯＮＵ１０３が常時発光状態の故障に陥った可能性があると認識してもよい。
【００７２】
そして、ＯＮＵ特定部３５２は、上記に説明したように、予め設定された時刻から予め設定された時間、ＯＮＵ１０３とＯＬＴ１０１との間のリンクが復旧したか否かに基づいて、常時発光状態に陥ったＯＮＵ１０３を特定する。尚、常時発光状態以外にも、光ファイバの断線やＯＬＴ１０１の故障などにより、複数のＯＮＵ１０３が同時に通信不良になる場合がある。この場合、監視サーバ３０３は、複数のＯＮＵ１０３のうちいずれかのＯＮＵ１０３のリンクが基本時刻間で復旧するか否かを判別することにより、常時発光状態以外の障害であるか否かを知ることができる。
【００７３】
図８は、常時発光状態に陥ったＯＮＵ１０３を特定する処理を示す。尚、図８の処理は、監視サーバ３０３が実行する処理である。
【００７４】
ステップＳ１０１において、監視部３５１は、ＯＬＴ１０１から通知される各ＯＮＵ１０３とのリンクの接続情報により、常時発光状態に陥った疑いがあるか否かを検出する。そして、監視サーバ３０３は、常時発光状態に陥った疑いがある場合はステップＳ１０２の処理に進み、常時発光状態に陥った疑いがない場合はステップＳ１０１の処理を継続する。尚、常時発光状態に陥った疑いがあるか否かは、先に説明したように、リンクが切断されたＯＮＵ１０３の台数などによって判断される。
【００７５】
ステップＳ１０２において、ＯＮＵ特定部３５２は、時計部３５４により、テーブル３５３に設定された基本時刻になったか否かを判別する。そして、ＯＮＵ特定部３５２は、基本時刻になった場合はステップＳ１０３に進み、基本時刻になるまでステップＳ１０２で待機する。
【００７６】
ステップＳ１０３において、監視部３５１は、ＯＬＴ１０１とＯＮＵ１０３との間で切断されたリンクの復旧状況をモニタする。そして、監視部３５１は、リンクが復旧した場合、リンクの復旧時刻および復旧継続時間とを計測する。
【００７７】
ステップＳ１０４において、監視部３５１は、対象となる全てのＯＮＵ１０３のオフセット時刻が経過したか否かを確認する。そして、監視部３５１は、一番遅いオフセット時刻が経過した場合はステップＳ１０５の処理に進み、全てのＯＮＵ１０３のオフセット時刻が経過していない場合はステップＳ１０３の処理に戻る。
【００７８】
ステップＳ１０５において、監視部３５１は、ステップＳ１０３の処理で取得した各ＯＮＵ１０３のリンクの復旧時刻および復旧継続時間から常時発光状態に陥ったＯＮＵ１０３を特定する。尚、常時発光状態に陥ったＯＮＵ１０３の特定方法は、図７で説明した通りである。
【００７９】
このように、各ＯＮＵ１０３について、監視サーバ３０３は、ＯＮＵ１０３とＯＬＴ１０１とのリンク状態を監視して、切断されたリンクの復旧時刻と復旧継続時間とを取得することにより、常時発光状態に陥ったＯＮＵ１０３を特定できる。そして、システム管理者は、特定したＯＮＵ１０３の設置場所に保守者を派遣して、異常発光状態に陥ったＯＮＵ１０３を修理または交換し、ＰＯＮシステム１００を復旧する。尚、ＯＮＵ１０３は、予め設定された所定の時間、通信可能な状態が続いた場合、指定時刻にＯＮＵ部２０１の光出力を停止する動作を中止する。これにより、異常発光状態のＯＮＵ１０３の撤去や交換によりＰＯＮシステム１００が復旧後、他のＯＮＵ１０３は自動的に正常な状態に戻る。
【００８０】
以上、説明したように、本実施形態に係るＰＯＮシステム１００は、常時発光状態に陥ったＯＮＵ１０３をＯＬＴ１０１や監視サーバ３０３から制御することが難しい場合でも、ＯＮＵ１０３のＨＧＷ部２０２からＯＮＵ部２０１の光送信回路２１５のレーザーダイオード２１５ａを制御して発光を停止することができる。これにより、ＯＮＵ部２０１のレーザーダイオード２１５ａの発光そのものをモニタする検出回路を設けることなく、ＨＧＷ部２０２は、インターネット１１０とユーザ端末との通信状態をモニタして、常時発光状態を認識する。そして、ＨＧＷ部２０２は、予め設定された停止時刻および停止時間にＯＬＴ１０１へ送信する光出力を停止する。そして、監視サーバ３０３は、ＯＬＴ１０１とＯＮＵ１０３とのリンクの復旧状態をモニタして、常時発光状態のＯＮＵ１０３を特定できる。
【００８１】
以上の詳細な説明により、実施形態の特徴点および利点は明らかになるであろう。これは、特許請求の範囲がその精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。したがって、発明性を有する実施形態の範囲を前述したものに限定する意図はなく、実施形態に開示された範囲に含まれる適当な改良物および均等物に拠ることも可能である。
【符号の説明】
【００８２】
１００・・・ＰＯＮシステム；１０１・・・ＯＬＴ；１０２・・・光カプラ；１０３・・・ＯＮＵ；１０４・・・パソコン；１０５・・・スマートフォン；１０６・・・電話機；１１０・・・インターネット；１５１・・・ユーザ宅；２０１・・・ＯＮＵ部；２０２・・・ＨＧＷ部；２０７・・・時計部；２０８・・・メモリ；２１１・・・光モジュール；２１２・・・ＰＯＮ制御部；２１３・・・ＰＨＹＩＦ；２１４・・・光受信回路；２１５・・・光送信回路；２１５ａ・・・レーザダイオード；２１６・・・制御信号；２２１・・・ＰＨＹＩＦ；２２２・・・ルータ部；２２３・・・有線ＬＡＮ部；２２４・・・無線ＬＡＮ部；２２５・・・ＶｏＩＰ部；２２６・・・ＨＧＷ制御部；２２７・・・時計部；２２８・・・メモリ；２５１・・・通信監視部；２５２・・・光出力制御部；３０１・・・ＨＧＷ設定サーバ；３０２・・・ＳＮＴＰサーバ；３０３・・・監視サーバ；３５１・・・監視部；３５２・・・ＯＮＵ特定部；３５３・・・テーブル；３５４・・・時計部；９０１・・・ＯＮＵ；９０２・・・ＨＧＷ
【図１】
2014154992.tif 000003
【図２】
2014154992.tif 000004
【図３】
2014154992.tif 000005
【図４】
2014154992.tif 000006
【図５】
2014154992.tif 000007
【図６】
2014154992.tif 000008
【図７】
2014154992.tif 000009
【図８】
2014154992.tif 000010